(57)【要約】【課題】  本発明は、書籍やノート等の本状物の本開きを抑制可能な留め具付き本体及びその留め具を提供することを課題とする。【解決手段】  表紙１１と裏表紙１２の間に用紙Ｓが配置される本体１０と、前記表紙１１から前記裏表紙１２までを挟む留め具２０と、を備え、前記本体１０は、屈曲可能であり、前記留め具２０は、前記表紙１１又は前記裏表紙１２の何れか一方に固定されている留め具付本体及びその留め具を提供することができる。【選択図】図１
2020093436.tif 000002
【特許請求の範囲】
【請求項１】
表紙と裏表紙の間に用紙が配置される本体と、
前記表紙から前記裏表紙までを挟む留め具と、を備え、
前記本体は、屈曲可能であり、
前記留め具は、前記表紙又は前記裏表紙の何れか一方に固定されている留め具付本体。
【請求項２】
前記留め具は、前記表紙に当接される表当接部と、
前記裏表紙に当接される裏当接部と、を有し、
前記表当接部と前記裏当接部の間には、前記本体を挿入可能な間隙が設けられている、請求項１に記載の留め具付本体。
【請求項３】
前記留め具は、前記表当接部と前記裏当接部を接続する接続部を有し、
前記接続部は、前記本体に近接配置されている、請求項２に記載の留め具付本体。
【請求項４】
前記本体は、前記表紙と前記裏表紙を接続する背部を有し、
前記背部には、前記用紙を挟持可能な用紙挟みが設けられている、請求項１〜３の何れかに記載の留め具付本体。
【請求項５】
前記本体は、前記背部に相対する小口部を有し、
前記留め具は、前記小口部の中心位置に配置されている、請求項４に記載の留め具付本体。
【請求項６】
前記用紙は、Ａ４サイズである、請求項１〜請求項５の何れかに記載の留め具付本体。
【請求項７】
請求項２又は請求項３に記載の留め具付き本体の留め具であって、
前記表当接部又は前記裏当接部には、前記本体に固定可能な固定手段が設けられている留め具。
【発明の詳細な説明】
【技術分野】
【０００１】
本発明は、留め具付本体及びその留め具に関するものである。
【背景技術】
【０００２】
書籍やノート等の本状物（以下、本体という）を携帯する際には、表紙と裏表紙が開いてしまい、中の用紙が捩れて折れ曲がったり、用紙が捲れて損傷したりすることがある。
【０００３】
従来、このような意図しない本開きを抑制する技術が種々提案されている。例えば、特許文献１には、表紙と裏表紙を係止する係止用ベルトを設けることで本開きを抑制する技術が記載されている。また、特許文献２には、本体に輪状部を装着することで本開きを抑制することが記載されている。
【先行技術文献】
【特許文献】
【０００４】
【特許文献１】特開２０００−３５１２８７号公報
【特許文献２】特開２００２−１０４４９２号公報
【発明の概要】
【発明が解決しようとする課題】
【０００５】
本発明は、本開きを抑制可能な留め具付き本体及びその留め具を提供することを課題とする。
【課題を解決するための手段】
【０００６】
上記課題を解決するため、本発明に係る留め具付本体は、表紙と裏表紙の間に用紙が配置される本体と、前記表紙から前記裏表紙までを挟む留め具と、を備え、前記本体は、屈曲可能であり、前記留め具は、前記表紙又は前記裏表紙の何れか一方に固定されている。
【０００７】
このように、屈曲可能な本体と、この本体の表紙又は裏表紙に固定された留め具と、を有することにより、本体を屈曲させるだけで、留め具に本体を挟み込み、本体の本開きを抑制することできる。
【０００８】
この態様において、前記留め具は、前記表紙に当接される表当接部と、前記裏表紙に当接される裏当接部と、を有し、前記表当接部と前記裏当接部の間には、前記本体を挿入可能な間隙が設けられている。
【０００９】
この態様において、前記留め具は、前記表当接部と前記裏当接部を接続する接続部を有し、前記接続部は、前記本体に近接配置されている。
このように、接続部を本体に近接配置することにより、留め具が出っ張ることを抑制して、本体の元の外寸を保ったまま、本体の本開きを抑制することができる。
【００１０】
この態様において、前記本体は、前記表紙と前記裏表紙を接続する背部を有し、前記背部には、前記用紙を挟持可能な用紙挟みが設けられている。
このように、用紙挟みが設けられていることにより、使用者の意向に応じて、用紙の追加・削除・交換・ページ変更を容易に行うことができる。
【００１１】
この態様において、前記本体は、前記背部に相対する小口部を有し、前記留め具は、前記小口部の中心位置に配置されている。
【００１２】
この態様において、前記用紙は、Ａ４サイズである。
このように、Ａ４サイズの用紙を使用可能に構成されているため、容易に用紙を入手することが可能である。
【００１３】
また、本発明は、上述した留め具付本体の留め具にも関する。
すなわち、本発明の一態様の留め具は、前記表当接部又は前記裏当接部には、前記本体に固定可能な固定手段が設けられている。
【発明の効果】
【００１４】
開示した技術によれば、本開きを抑制可能な留め具付き本体及びその留め具を提供することができる。
【００１５】
他の課題、特徴及び利点は、図面及び特許請求の範囲とともに取り上げられる際に、以下に記載される発明を実施するための形態を読むことにより明らかになるであろう。
【図面の簡単な説明】
【００１６】
【図１】実施形態１に係る留め具付本体の説明図である。
【図２】実施形態１に係る留め具付本体の説明図である。
【図３】実施形態１に係る留め具付本体の外観図である。
【図４】実施形態１に係る留め具付本体の外観図である。
【図５】実施形態１に係る留め具付本体の使用方法を説明する説明図である。
【図６】実施形態１に係る留め具付本体の使用方法を説明する説明図である。
【図７】実施形態２に係る留め具付本体の使用方法を説明する説明図である。
【発明を実施するための形態】
【００１７】
以下、本発明を、図面に示した好ましい実施形態１及び実施形態２について、図１〜図７を用いて詳細に説明する。本発明の技術的範囲は、添付図面に示した実施形態に限定されるものではなく、特許請求の範囲に記載された範囲内において、適宜変更が可能である。
【００１８】
＜実施形態１＞
本発明の実施形態１に係る留め具付本体は、図１ないし図４に示したように、表紙１１と裏表紙１２の間に用紙Ｓが配置される本体１０と、表紙１１から裏表紙１２までを挟む留め具２０と、用紙Ｓを挟持可能な用紙挟み３０と、留め具２０及び用紙挟み３０を固定可能な貫通孔１５と、を備えている。
【００１９】
図１は、Ａ４サイズの用紙Ｓを四つ折りにし、用紙挟み３０に用紙Ｓを挟み込む状態を示す説明図である。図２は、四つ折りにした用紙Ｓを用紙挟み３０に挟んだ状態を示す説明図である。図３は、本実施形態に係る留め具付本体を外側から観察した際の外観図である。図４は、本実施形態に係る留め具付本体を内側から観察した際の外観図である。
【００２０】
本体１０は、可撓性を有する材料で形成されており、本体１０に力を加えることで屈曲可能なよう構成されている（図５及び図６参照）。この材料としては、屈曲可能な材料であれば当然に採用することができ、例えば、屈曲可能な革や紙、柔らかいプラスチックやアルミ等の薄い金属を例示することができる。
【００２１】
本体１０は、表紙１１と裏表紙１２を接続する背部１３と、この背部１３に相対する小口部１４と、を有している。すなわち、この本体１０は、この表紙１１と裏表紙１２の間に用紙Ｓが配置された書籍やノート等の本状物である。
【００２２】
なお、本体１０の縁部には、留め具２０が固定可能な貫通孔１５である留め具用孔１５１が形成されており、本体１０の背部１３には、用紙挟み３０が固定可能な貫通孔１５である用紙挟み用孔１５２が形成されている。また、本実施形態においては、貫通孔１５を用いて留め具２０及び用紙挟み３０を固定する形態を示しているが、接着剤や粘着テープ等、本体１０に固定可能な手段であれば当然に採用することができる。
【００２３】
また、表紙１１及び裏表紙１２のサイズはＡ７〜Ａ５であることが望ましい。このようなサイズに設定することにより、Ａ４サイズの用紙Ｓを八つ折りや四つ折り、二つ折りにして使用することができる。なお、本実施形態においては、Ａ判を採用した例を示したが、Ｂ判を採用することも当然に可能である。
【００２４】
留め具２０は、表紙１１に当接される表当接部２１と、裏表紙１２に当接される裏当接部２２と、この表当接部２１と裏当接部２２とを接続する接続部２３を有しており、表当接部２１と裏当接部２２の間には、本体１０を挿入可能な間隙が設けられている。この間隙の大きさは、本体１０の厚さによって、最適な大きさを適宜採用することができる。
【００２５】
表当接部２１は、先端側に立ち上がり２１１が形成されており、間隙に表紙１１及び用紙Ｓを挟む際に、容易に挟み込むことが出来るよう構成されている。
なお、図１ないし図６に示すように、留め具２０が裏表紙１２に固定される場合には、立ち上がり２１１が表当接部２１に設けられる。この場合には、裏当接部２２が留め具用孔１５１に固定される固定箇所となる。一方で、留め具２０が裏表紙１２に固定される場合には、立ち上がりが裏当接部２２に設けられる。
【００２６】
また、この留め具２０は、接続部２３が本体１０（小口部１４）に近接配置されていることが望ましい。このように、接続部２３を小口部１４に近接されるように留め具２０を固定することで、留め具２０が出っ張ることを抑制して、本体１０の元の外寸を保ったまま、本開きを抑制することができる。
さらに、留め具２０は、小口部１４の中心位置に配置されていることが好ましい。このように、小口部１４の中心位置に留め具２０を配置することにより、小口部１４の上下の距離を均等にして、本開きを抑制することができる。
【００２７】
本実施形態においては、留め具２０を鋼線で形成した例を示したが、留め具２０として機能するものであれば当然に採用することができる。例えば、金属や樹脂をクリップ状にしたものを例示することができる。
【００２８】
用紙挟み３０は、用紙Ｓに当接される用紙当接部３１と、背部１３に固定される固定部３２と、を有している。
【００２９】
用紙当接部３１は、背部１３に沿って設けられており、先端側にはクリップ部３１１が設けられている。このクリップ部３１１は、背部１３に近接されるように設けられ、クリップ部３１１と本体１０の背部１３とによって、用紙Ｓを挟むことが出来るよう構成されている。なお、用紙Ｓの厚さや枚数によって用紙当接部３１が撓むことで、用紙Ｓを適切に保持することができる。
【００３０】
固定部３２は、背部１３に設けられた用紙挟み用孔１５２に挿入されることで固定されており、くの字状に曲げられた屈曲部３２１と、ストレート部３２２と、ストレート部の先端に形成されるテーパー部３２３と、を有している。
【００３１】
屈曲部３２１は、設けることにより、用紙挟み３０が抜けてしまうことを抑制することができる。なお、本実施形態においては、屈曲部３２１を一つ設けた例を示したが抜け難くするため、複数の屈曲部３２１を形成しても良い。
【００３２】
テーパー部３２３は、本体１０側に向かって傾斜角が設けられており、用紙Ｓが挿入される際に、用紙Ｓが引っかからないよう構成されている。
【００３３】
次に、図５及び図６を参照して、本発明に係る留め具付本体の使用方法について詳細に説明する。
【００３４】
図５は、留め具２０に本体１０を挟んだ状態から、本体１０を屈曲させて表紙１１を留め具２０から外す工程を説明する斜視図である。また、図６は、図５と同様の工程を説明する側面図である。
【００３５】
図５（ａ）及び図６（ａ）では、留め具２０に本体１０を挟んだ状態の説明図である。図５（ｂ）及び図６（ｂ）は、本体１０を屈曲させて、表紙１１を留め具２０から外している状態の説明図である。なお、図６は、表紙１１及び裏表紙１２の動きを説明するため、表紙１１の動きを誇張して図示している。
【００３６】
すなわち、本体１０を屈曲させた際には、表紙１１が本体１０の厚み分だけ留め具２０から遠ざかり、留め具２０から表紙１１が外れる。具体的には、表紙１１を曲げた際と、裏表紙１２を曲げた際では、表紙１１は用紙Ｓ厚みの分だけ外側に位置しているため、裏表紙１２が描く円弧に比べて表紙１１が描く円弧は半径が短くなる。そのため、ちょうど自動車における内輪差のように、表紙１１が裏表紙１２よりも大回りすることとなり、留め具２０にまで届かなくなる。
【００３７】
このようにして、本体１０を屈曲させることで、留め具２０から表紙１１を外したり、反対に留め具２０に表紙１１を挿入したりすることができる。
また、表紙１１を広げた際には、留め具２０を任意の用紙Ｓに挟んでも良い。すなわち、留め具２０をしおりのように機能させることができる。
【００３８】
本発明によれば、本体１０が屈曲可能であり、留め具２０を表紙１１若しくは裏表紙１２に固定することにより、本開きを抑制することができ、本体１０を屈曲させるだけで容易に留め具２０から表紙１１（又は裏表紙１２）を外すことができる。
【００３９】
また、本実施形態によれば、用紙Ｓを挟む用紙挟み３０を有することにより、使用者の意向に応じて、自由に用紙Ｓを追加・削除・交換・ページ変更を容易に行うことができる。
【００４０】
＜実施形態２＞
以下、本発明の実施形態２に係る留め具付本体について、図７を参照して詳細に説明する。この実施形態２に係る留め具付本体は、先の実施形態１に係る留め具付本体とは異なる本体４０及び留め具５０を備える。
【００４１】
本体４０は、先の実施形態１に係る本体１０と同様に、表紙１１と、裏表紙４２と、この表紙４１及び裏表紙４２を接続する背部４３と、この背部４３に相対する小口部４４と、を有している。
【００４２】
留め具５０は、先の実施形態１に係る本体１０と同様に、表紙４１に当接される表当接部５１と、裏表紙４２に当接される裏当接部５２と、この表当接部５１と裏当接部５２とを接続する接続部５３を有しており、表当接部５１と裏当接部５２の間には、本体４０を挿入可能な間隙が設けられている。また、表当接部５１の先端側に立ち上がり５１１が形成されており、間隙に表紙４１及び用紙Ｓを挟む際に、容易に挟み込むことが出来るよう構成されている。
【００４３】
本実施形態における留め具５０は、裏当接部５２に固定手段が設けられており、本体４０に固定可能に構成されている。この固定手段としては、慣用の手段を採用することができ、例えば、接着剤や両面テープ等を例示することができる。また、裏当接部５２に替わり、表当接部５１に固定手段を設けることも当然に可能である。
【００４４】
本実施形態における留め具５０によれば、表当接部５１又は裏当接部５２に、本体４０に固定可能な固定手段が設けられている。これにより、既存の屈曲可能な本体４０に、留め具５０を取り付けるだけで、容易に本発明に係る留め具付き本体とすることができる。
【符号の説明】
【００４５】
１０，４０  本体
１１，４１  表紙
１２，４２  裏表紙
１３，４３  背部
１４，４４  小口部
１５  貫通孔
１５１  留め具用孔
１５２  用紙挟み用孔
２０，５０  留め具
２１，５１  表当接部
２１１，５１１  立ち上がり
２２，５２  裏当接部
２３，５３  接続部
３０  用紙挟み
３１  用紙当接部
３１１  クリップ部
３２  固定部
３２１  屈曲部
３２２  ストレート部
３２３  テーパー部
Ｓ  用紙
【図１】
2020093436.tif 000003
【図２】
2020093436.tif 000004
【図３】
2020093436.tif 000005
【図４】
2020093436.tif 000006
【図５】
2020093436.tif 000007
【図６】
2020093436.tif 000008
【図７】
2020093436.tif 000009